(57)【要約】【課題】母親および乳児の両方が使用することのできる抱き枕兼用おくるみを提供する。【解決手段】抱き枕兼用おくるみ１は、柱状の形態を有して長手方向に延在するクッション材１０と、クッション材１０に隣接して長手方向に延在する収納空間を形成するようにクッション材に取付けられたカバー部材２０と、カバー部材２０の収納空間内に取り出し可能に収納された平面状のおくるみ部材３０とを備える。【選択図】図５
2008115480.tif 000002
【特許請求の範囲】
【請求項１】
長手方向に延在するクッション材と、
前記クッション材に隣接して長手方向に延在する収納空間を形成するように前記クッション材に取付けられたカバー部材と、
前記カバー部材の収納空間内に取り出し可能に収納された平面状のおくるみ部材とを備えた、枕兼用おくるみ。
【請求項２】
前記おくるみ部材の一端は、前記カバー部材内に接続されており、
前記カバー部材は、長手方向に延びるスリットと、このスリットを開閉する開閉ファスナーとを含む、請求項１に記載の枕兼用おくるみ。
【請求項３】
前記おくるみ部材には、乳児を抱く人の手を通過させるスキンシップ用スリットが設けられている、請求項１または２に記載の枕兼用おくるみ。
【請求項４】
前記クッション材は、長手方向の中央に位置する中央クッション領域と、この中央クッション領域を両側から挟むように位置する両側クッション領域とを含み、
前記両側クッション領域は、前記中央クッション領域に対して折り曲げ可能とされている、請求項１〜３のいずれかに記載の枕兼用おくるみ。
【請求項５】
前記中央クッション領域に対して折り曲げた状態となっている両側クッション領域と、前記おくるみ部材とを接続して、前記クッション材全体を逆Ｕ字状の形態に維持する接続手段を備える、請求項４に記載の枕兼用おくるみ。
【請求項６】
請求項４または５に記載の枕兼用おくるみを備えたベッド状育児器具であって、
前記クッション材の中央クッション領域は、ベッドに寝かされた乳児の頭頂部に対面し、両側クッション領域は、乳児の側頭部に対面するように位置し、
前記おくるみ部材は、ベッドに寝かされた乳児の背後に位置する、育児器具。
【発明の詳細な説明】
【技術分野】
【０００１】
この発明は、枕に関するものであり、特に妊婦および乳児が使用することのできる抱き枕兼用おくるみに関するものである。
【背景技術】
【０００２】
枕の一例としての抱き枕は、通常、柱状（棒状）の形態を有するクッション材からなる。このような抱き枕は、例えば、特開２００１−１９０３８４号公報（特許文献１）、登録実用新案第３０３７４９５号公報（特許文献２）、登録実用新案第３０７６６３６号公報（特許文献３）等に開示されている。登録実用新案第３０７６６３６号公報は、妊婦に安らぎを与えることを意図した抱き枕を提案している。
【０００３】
乳児用のおくるみは、例えば、登録実用新案第３０８７６７９号公報（特許文献４）、特開平９−２２８１０５号公報（特許文献５）、登録実用新案第３０７０３０２号公報（特許文献６）等に開示されている。特開平９−２２８１０５号公報は、乳母車に装着され得るおくるみを提案している。
【特許文献１】特開２００１−１９０３８４号公報
【特許文献２】登録実用新案第３０３７４９５号公報
【特許文献３】登録実用新案第３０７６６３６号公報
【特許文献４】登録実用新案第３０８７６７９号公報
【特許文献５】特開平９−２２８１０５号公報
【特許文献６】登録実用新案第３０７０３０２号公報
【発明の開示】
【発明が解決しようとする課題】
【０００４】
お腹の大きい妊婦は、仰向けに寝るとお腹に圧迫感を感じるので、自然に横臥することが多い。このような場合、妊婦が抱き枕を抱えた状態で休息したり睡眠をとったりすると、精神的に落ち着いて安らぎを感じることができる。
【０００５】
出産後においても、母親は、休息時、授乳時、睡眠時等に抱き枕を使用することがある。母親が、妊婦の時から出産後に至るまで長期に亘って抱き枕を使用すると、抱き枕に母親の匂いが染み込む。
【０００６】
乳児は、母親の匂いを感ずることによって、心穏やかな気持ちになる。母親の匂いの染み込んだおくるみによって乳児を包み込むようにすれば、乳児は安らいだ気持ちを持つことができる。
【０００７】
本発明の目的は、母親および乳児の両方が使用することのできる枕兼用おくるみを提供することである。特に、母親の匂いによって乳児に安らぎを与えるようにした抱き枕兼用おくるみを提供しようとするものである。
【課題を解決するための手段】
【０００８】
この発明に従った枕兼用おくるみは、長手方向に延在するクッション材と、このクッション材に隣接して長手方向に延在する収納空間を形成するようにクッション材に取付けられたカバー部材と、カバー部材の収納空間内に取り出し可能に収納された平面状のおくるみ部材とを備える。
【０００９】
枕としては、抱き枕のみならず、通常の枕やクッションをも含むものとして理解されねばならない。
【００１０】
抱き枕として使用するときには、おくるみ部材をカバー部材の収納空間内に折畳んで収納する。カバー部材の収納空間内に折畳んだおくるみ部材が入っていると、クッション材とカバー部材とからなる抱き枕の横断面積が大きくなるので、抱き枕は、使用者にとって抱え易い大きさの棒状の形態となる。
【００１１】
おくるみとして使用するときには、カバー部材の収納空間から折畳んだおくるみ部材を取り出し、平面状に展開する。
【００１２】
好ましくは、おくるみ部材の一端は、カバー部材内に接続されている。カバー部材は、長手方向に延びるスリットと、このスリットを開閉する開閉ファスナーとを含む。
【００１３】
一つの実施形態では、おくるみ部材に、乳児を抱く人の手を通過させるスキンシップ用スリットが設けられている。
【００１４】
好ましくは、クッション材は、長手方向の中央に位置する中央クッション領域と、この中央クッション領域を両側から挟むように位置する両側クッション領域とを含む。両側クッション領域は、中央クッション領域に対して折り曲げ可能とされている。
【００１５】
上記の場合、中央クッション領域に対して折り曲げた状態となっている両側クッション領域と、おくるみ部材とを接続して、クッション材全体を逆Ｕ字状の形態に維持する接続手段を備えるようにしてもよい。
【００１６】
他の局面において、この発明に従ったベッド状育児器具は、枕兼用おくるみを備える。この場合、クッション材の中央クッション領域は、ベッドに寝かされた乳児の頭頂部に対面し、両側クッション領域は、乳児の側頭部に対面するように位置する。おくるみ部材は、ベッドに寝かされた乳児の背後に位置する。
【発明を実施するための最良の形態】
【００１７】
図１〜図５は、本発明の一実施形態に係る抱き枕兼用おくるみを示している。図１および図５は抱き枕としての形態を示し、図２、図３および図４はおくるみとしての形態を示している。
【００１８】
図１および図５から明らかなように、抱き枕兼用おくるみ１は、柱状の形態を有して長手方向に延在するクッション材１０と、このクッション材１０に隣接して長手方向に延在する収納空間を形成するようにクッション材１０に取付けられたカバー部材２０と、カバー部材２０の収納空間内に取り出し可能に収納された平面状のおくるみ部材３０とを備える。
【００１９】
カバー部材２０は、長手方向に延びるスリットと、このスリットを開閉する開閉ファスナー２１とを含む。おくるみ部材３０は、例えば柔らかい布地からなり、折畳んだ状態でカバー部材２０内に収納されている。好ましくは、おくるみ部材３０の一端は、カバー部材２０内に接続されている。
【００２０】
クッション材１０は、長手方向の中央に位置する中央クッション領域１１と、この中央領域１１を両側から挟むように位置する左側および右側クッション領域１２，１３とを含む。図３に示すように、左側クッション領域１２および右側クッション領域１３は、中央クッション領域１１に対して折り曲げ可能とされている。
【００２１】
図２は、おくるみ部材３０を取り出して展開した状態の抱き枕兼用おくるみ１を背面側から見た図である。左右のクッション領域１２，１３を折り曲げてクッション材１０の全体を逆Ｕ字状の形態に維持するために、左右のクッション領域１２，１３または左右の領域に位置するカバー部材２０の部分に止めボタン３２を取付け、おくるみ部材３０に止めボタン３２を留めるためのボタン穴３３を形成している。左右の止めボタン３２を左右のボタン穴３３に留めるようにすれば、クッション材１０を逆Ｕ字状の形態に維持できる。
【００２２】
なお、クッション材１０を逆Ｕ字状の形態に維持する手段として、他の形態の接続手段を用いることができるのは言うまでもない。
【００２３】
おくるみ部材３０は、乳児を左右から包み込むことができるようにするために、左右に大きく膨出した平面形状を有している。乳児を包み込む形態を図３では想像線で示し、図４では実線で示している。
【００２４】
乳児をおくるみ部材３０で包んでいるときに親と乳児との間のスキンシップを図るために、好ましくは、おくるみ部材３０にスキンシップ用スリット３１を形成しておく。親は、スリット３１内に差し入れた手で乳児に触れることができるので、良好なスキンシップの関係を築くことができる。スリット３１の形成位置は、例えば、乳児の背中やお尻を触ることのできる位置である。
【００２５】
図３および図４は、抱き枕兼用おくるみ１が乳母車、チャイルドシート、室内用ベッド等のベッド付き育児器具に装着されている場合を示している。この装着状態では、クッション材１０の中央クッション領域１１がベッドに寝かされた乳児の頭頂部に対面して位置し、左側および右側クッション領域１２，１３が乳児の左右の側頭部に対面するように位置する。また、おくるみ部材３０は、乳児の背後に位置し、下方の領域および左右の領域を折り重ねるようにして乳児を包み込む。図示していないが、おくるみ部材３０の折り重ね部分を互いに接続してそれらが離れないようにするために、適当な接続手段を設けるようにしてもよい。
【００２６】
胎児をお腹に抱えた妊婦は、抱き枕兼用おくるみを図１に示す棒状の形態で使用する。この状態では、おくるみ部材３０がカバー部材２０内に折畳んで収納されているので、カバー部材３０は大きく膨らむ。言い換えれば、クッション材１０とカバー部材２０とからなる抱き枕の横断面積が大きくなるので、抱き枕は、妊婦にとって抱え易い大きさの棒状形態となる。出産後においても、母親は、休息時、授乳時、睡眠時に抱き枕を使用する。
【００２７】
母親が、妊婦の時から出産後に至るまで長期に亘って抱き枕兼用おくるみ１を使用することにより、クッション材１０やおくるみ部材３０に母親の匂いが染み込む。
【００２８】
おくるみ部材３０を取り出して乳児を包み込むようにすれば、乳児は、おくるみ部材３０やクッション材１０から母親の匂いを感じることができ、安らいだ気持ちになる。育児器具のベッドに寝かされた乳児を抱き枕兼用おくるみ１で包み込むようにしても良いし、おくるみ１で包み込んだ乳児を抱っこするようにしても良い。
【００２９】
なお、上述の実施形態では、枕として抱き枕の例を説明したが、通常の枕やクッションにもこの発明を適用できる。
【００３０】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００３１】
この発明は、抱き枕兼用おくるみとして有利に利用され得る。
【図面の簡単な説明】
【００３２】
【図１】抱き枕としての形態になっている抱き枕兼用おくるみを示す斜視図である。
【図２】おくるみ部材を取り出した状態の抱き枕兼用おくるみを背面側から見た図である。
【図３】ベッド付き育児器具上に装着された形態の抱き枕兼用おくるみを示す斜視図である。
【図４】おくるみの形態になっている抱き枕兼用おくるみを示す斜視図である。
【図５】図１の線Ｖ−Ｖに沿って見た断面図である。
【符号の説明】
【００３３】
１  抱き枕兼用おくるみ、１０  クッション材、１１  中央クッション領域、１２  左側クッション領域、１３  右側クッション領域、２０  カバー部材、２１  開閉ファスナー、３０  おくるみ部材、３１  スキンシップ用スリット、３２  止めボタン、３３  ボタン穴。
【図１】
2008115480.tif 000003
【図２】
2008115480.tif 000004
【図３】
2008115480.tif 000005
【図４】
2008115480.tif 000006
【図５】
2008115480.tif 000007